(57)【要約】改善された平面パネルディスプレイは、ディスプレイ上に入射する光の反射の減少を与え、視認性を高める。ディスプレイは、ディスプレイ偏光子に結合され又はラミネートされるガラスのような透明なトップカバーパネルを含む。トップカバーパネルの観察外面は、該表面に設けられた複数の一体の表面特徴を有し、該表面特徴は、エッチングされたバンプか又はミクロ機械加工された四面体形状の突起部からなり、該突起部は、頂部が切り取られ、滑らかにされ及び／又は様々に配向され、入射光の反射性をさらに低減する寸法にされる。表面特徴をもつ表面上の多層ＨＥＡコーティングは、屈折率が、ＨＥＡコーティングの層から層へと、トップカバーパネルの屈折率から周囲空気又は他の物質の屈折率まで、漸進的に、好ましくは滑らかに変化する漸進的遷移層を定め、ディスプレイの最も外側の視認可能面が観察者又は観察者に画像を提供する。【特許請求の範囲】
【請求項１】
入射光の反射の減少によって解像度の改善を与えるための平面パネルディスプレイであって、
基板と、
ピクセルアレイの選択されたピクセルを活性化させるために前記基板上に配置された電極アレイと、
前記電極アレイによって受光される光を偏光させるために前記電極アレイ上に配置された偏光子と、
前記偏光子上に配置され、屈折率と観察面とを有し、前記観察面の周りに、複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者に、ディスプレイ生成画像のはっきりとした高コントラスト表示を与えながら、観察者が知覚する反射率及び実際の反射率を極めて低くするものであることを特徴とするディスプレイ。
【請求項２】
前記表面装飾が、前記観察面にマトリックス状に配置されたバンプを備えることを特徴とする請求項１に記載のディスプレイ。
【請求項３】
前記表面装飾が、前記観察面に無作為パターンで配置されたバンプを備えることを特徴とする請求項１に記載のディスプレイ。
【請求項４】
前記表面装飾が、前記観察面に対して実質的に等しい高さをもつバンプを備えることを特徴とする請求項１に記載のディスプレイ。
【請求項５】
前記表面装飾が、前記観察面に対して異なる範囲の高さをもつバンプを備えることを特徴とする請求項１に記載のディスプレイ。
【請求項６】
前記透明材料層が前記偏光子にラミネートされていることを特徴とする請求項１に記載のディスプレイ。
【請求項７】
前記透明材料層が、透明液体エポキシとシリコン接着剤の１つからなる結合剤により前記偏光子に結合され、前記結合剤が、前記透明材料層の屈折率に実質的に等しい屈折率を有することを特徴とする請求項１に記載のディスプレイ。
【請求項８】
前記反射防止コーティング層は複数層（ｎ層）のＨＥＡ反射防止コーティングを含み、該複数層の各々は、関連する屈折率を有し、前記ディスプレイが用いられる環境と調和するように、前記観察面上の第１層から前記観察面より最も離隔した最外層まで積み重ねられ、前記第１層が前記透明材料の屈折率に実質的に等しい屈折率を有し、前記最外層が前記環境の屈折率に実質的に等しい屈折率を有し、前記第１層と前記最外層との間のｎ−２個の層は、前記第１層の屈折率と前記最外層の屈折率との間で漸進的に変化する屈折率を有することを特徴とする請求項１に記載のディスプレイ。
【請求項９】
前記表面装飾が角ばった四面体を備えることを特徴とする請求項１に記載のディスプレイ。
【請求項１０】
前記四面体が、前記観察面上にマトリックス状に配置されたことを特徴とする請求項９に記載のディスプレイ。
【請求項１１】
前記四面体が前記観察面に無作為パターンで配置されたことを特徴とする請求項９に記載のディスプレイ。
【請求項１２】
前記四面体の各々が、前記観察面に対する高さと長さ方向の軸とを有することを特徴とする請求項９に記載のディスプレイ。
【請求項１３】
前記四面体が前記観察面に対して実質的に等しい高さを有することを特徴とする請求項１２に記載のディスプレイ。
【請求項１４】
前記四面体の各々が頂部を切り取られた形状を有することを特徴とする請求項９に記載のディスプレイ。
【請求項１５】
前記四面体の各々が共通の軸方向アラインメントを有することを特徴とする請求項１２に記載のディスプレイ。
【請求項１６】
前記四面体の各々が無作為な軸方向アラインメントを有することを特徴とする請求項１２に記載のディスプレイ。
【請求項１７】
ディスプレイ前面の前に位置するディスプレイ観察者が、該観察者と該ディスプレイとの間にあって関連する屈折率を有する周囲媒体を通して視認できる画像を生成するのに適する平面パネルディスプレイであって、
前記ディスプレイの前面に配置され、関連する屈折率を有する透明材料シートを含み、該透明材料シートの観察面の前に位置する観察者が、該透明材料シートを通して、前記ディスプレイによって適切に生成された画像を見ることができるようになっており、
複数の外向きに突起する表面特徴が、前記透明材料シートの観察面上に一体的に形成され、かつ、該観察面の周りに分布されて、観察者に向けて外向きに突起しており、
多層ＨＥＡコーティングが、前記複数の表面特徴を覆うように前記透明材料シートの観察面上に適用されて、前記材料シートの観察面上に反射防止コーティングを形成しており、該多層コーティングの各層は、前記観察面に接して配置された前記多層コーティング層の第１層の屈折率が前記材料シートの屈折率に実質的に等しく、前記第１層から最も離隔した前記多層コーティング層の最外層の屈折率が前記周囲媒体の屈折率に実質的に等しく、前記第１層と前記最外層との間の前記多層コーティング層の各層の屈折率が前記第１層と前記最外層との間の屈折率となるような屈折率をそれぞれ有し、それにより前記多層ＨＥＡコーティングは、実効屈折率が実質的に前記材料シートの屈折率から実質的に前記周囲媒体の屈折率まで漸進的に変化することとなり、前記ディスプレイと該ディスプレイに入射する光の観察者との間の反射を最小にする漸進的遷移層を形成することを特徴とする平面パネルディスプレイ。
【請求項１８】
前記表面特徴が、前記観察面をエッチングして不規則な観察面を形成することにより定められ、前記材料シートの前記観察面の周りに分布された複数のマウンドを備えることを特徴とする請求項１７に記載の平面パネルディスプレイ。
【請求項１９】
前記表面特徴が、前記観察面をエッチングして所定のつや消し観察面を形成することにより定められ、前記材料シートの前記観察面の周りに分布された複数のマウンドを備えることを特徴とする請求項１７に記載の平面パネルディスプレイ。
【請求項２０】
前記表面特徴が、前記材料シートの前記観察面の周りに分布された複数の四面体形状の突起部を備え、該突起部の各々が底部と上部とを有することを特徴とする請求項１７に記載の平面パネルディスプレイ。
【請求項２１】
前記四面体形状の突起部の各々の頂部が切り取られていることを特徴とする請求項２０に記載の平面パネルディスプレイ。
【請求項２２】
前記切り取られた頂部が丸められていることを特徴とする請求項２１に記載の平面パネルディスプレイ。
【請求項２３】
前記観察面上に設けられた前記複数の四面体形状の突起部の底部が、前記観察面の周りに様々に配向されたことを特徴とする請求項２０に記載の平面パネルディスプレイ。
【請求項２４】
前記観察面上に設けられた前記複数の四面体形状の突起部が、観察者に向けて様々に異なる程度だけ外向きに突起していることを特徴とする請求項２０に記載の平面パネルディスプレイ。
【請求項２５】
前記観察面上に設けられた前記複数の四面体形状の突起部が、様々に異なるアスペクト比の底部を有することを特徴とする請求項２０に記載の平面パネルディスプレイ。
【請求項２６】
前記複数の四面体形状の突起部が、前記観察面の上及び周りに不規則な位置で設けられていることを特徴とする請求項２０に記載の平面パネルディスプレイ。
【請求項２７】
前記複数の四面体形状の突起部が、前記観察面の上及び周りに所定のグリッドに沿った位置で設けられていることを特徴とする請求項２０に記載の平面パネルディスプレイ。
【請求項２８】
平面パネルディスプレイによって生成された画像を、該平面パネルディスプレイの前面に配置された透明材料シートであってこれを通して該ディスプレイ生成画像を観察することのできる透明材料シートの前に位置する観察者が観察する際の、観察者の視認性を改善する方法であって、前記観察者は該観察者と前記ディスプレイとの間に存在する関連する環境屈折率を有する周囲環境を通して前記ディスプレイ生成画像を観察し、前記方法は次の工程：
前記観察面の前に位置する観察者が、前記ディスプレイによって適切に生成された画像を、これを通して観察することのできる前記ディスプレイの透明材料シートの前側観察面を処理して、外向きに突起する複数の表面特徴を前記観察面上に一体的に、前記透明材料シートの観察面の周りに分布するように形成し、該表面特徴が前記観察者に向けて外向きに突起するようにし、前記材料シートが関連する材料の屈折率を有し、前記表面特徴が前記ディスプレイに入射する光の観察者に向かう前記観察面からの直接反射を低減させるよう構成する工程、及び、
多層ＨＥＡコーティングを、前記複数の表面特徴がその上に形成される前記観察面上に適用して、前記複数の表面特徴を覆い、前記材料シートの観察面上に反射防止コーティングを形成し、前記多層コーティングの各層は、前記観察面に接して配置された前記多数のコーティング層の第１層の屈折率が前記材料シートの屈折率に実質的に等しく、前記第１層から最も離隔した前記多数のコーティング層の最外層の屈折率が前記周囲媒体の屈折率に実質的に等しく、前記最初の層と前記最外層との間の前記多数のコーティング層の各層の屈折率が前記第１層と前記最外層との間の屈折率となるような屈折率をそれぞれ有し、それにより前記多層ＨＥＡコーティングは、実効屈折率が実質的に前記材料シートの屈折率から実質的に前記周囲媒体の屈折率まで漸進的に変化することとなり、前記ディスプレイと該ディスプレイに入射する光の観察者との間の反射を最小にする漸進的遷移層を形成する工程、
を含むことを特徴とする、前記方法。
【請求項２９】
前記処理する工程は、前記表面特徴が前記材料の観察面の周りに分布された複数のマウンドを備えるように前記材料シートの前記観察面をエッチングして、観察者がディスプレイ生成画像を通して観察することができる不規則な観察面を形成する工程を含む、請求項２８に記載の方法。
【請求項３０】
前記処理する工程は、前記材料シートの観察面を機械加工して、該観察面の周りに分布される複数の四面体形状の表面特徴を該観察面に一体的に形成する工程であって、該表面特徴の各々が、観察者に向けて外向きに突起する底部と上部とを有する、前記工程を含む、請求項２８に記載の方法。
【請求項３１】
前記処理する工程がさらに、前記四面体形状の表面特徴を機械加工して頂部が切り取られた形状を得る工程を含む、請求項３０に記載の方法。
【請求項３２】
前記処理する工程がさらに、前記複数の四面体形状の表面特徴を、互いに実質的に軸方向にアラインメントされた状態で形成する工程を含む、請求項３０に記載の方法。
【請求項３３】
前記処理する工程がさらに、前記複数の四面体形状の表面特徴を、互いに無作為の軸方向にアラインメントされた状態で形成する工程を含む、請求項３０に記載の方法。
【発明の詳細な説明】
【技術分野】
【０００１】
（関連出願）
本出願は、２００２年２月２７日に出願された米国特許仮出願第６０／３６０，２９１号に基づく優先権を主張するものである。
本発明は、平面パネルディスプレイ、特に改善された低反射性をもつ平面パネルディスプレイに関する。
【背景技術】
【０００２】
ガラスシートその他の光透過性又は透明材料シートを通して画像を見ることに関連する周知の問題は、材料シートの観察側で生じる光又は画像の反射が、その透明材料シートを通して観察されることを意図され又は望まれている内容の良好な観察を、妨害又は干渉しがちであり、或いは極端な場合には事実上妨げることである。この問題は、液晶（ＬＣ）型又はプラズマ型或いはその他の型の平面パネルディスプレイのような電子スクリーンディスプレイ上に与えられる画像を見るときに特に重大である。こうした平面パネルディスプレイは、あらゆる多様なデバイス及び環境において、及び多種多様な用途において益々普及しつつあるので、表示された画像を見る際の反射による干渉を最小にする必要性は、これまで以上に重要である。実際、例えば、飛行中の航空機のコックピット運航乗員に飛行データ及び状況情報を表示するといった平面パネルディスプレイの幾つかの用途においては、観察者の気を散らすか、もっと悪ければ、表示されたデータ及び画像を直ちに知覚する力を妨害し又は妨げる可能性のある反射を効果的に除去する必要性は、命にかかわる緊急性があると思われる。
【０００３】
ガラスシートの見掛けの反射率を減少させるものとして長い間知られている１つの手法は、該シートの観察面、すなわち該ガラスシートの反対側の「内側」面又はその近傍に生成される画像を該シートを通して見るために観察者が直接観察することになるガラスシートの「外側」面を、多数の極めて小さな、滑らかに形状付けさられたバンプ又はマウンドをもつように「つや消し」することである。そうした所謂「つや消し」ガラスは、実際には、それ自体がガラスからの反射量を減少させるのではなく、むしろ反射を拡散させるものである。目は、はっきりと定められた画像に固有の鮮明なコントラスト境界を最も容易に知覚するので、結果として得られる拡散が反射された画像を和らげて、観察者に反射率が減少したという知覚を生じさせるものであり、これは、「背景」画像（すなわち、ガラスシートを通して見た画像）が、ガラスシートの外側面の或る一定の形状がつけられた表面バンプによって拡散され又は和らげられた「前景」（すなわち反射された）画像よりも、視覚的に鮮明なためである。
ガラス又は他の透明材料シートの観察面からの反射を低減させるものとして同じく知られているのは、高効率反射防止（ＨＥＡ）コーティングのような反射防止コーティングである。ＨＥＡコーティングは、ガラスシートなどの表面に適用するために多種多様な形態で入手可能であり、反射された画像の実際の及び知覚される影響を最小にしながら、ガラスを通した画像の視認をさらに強化するために、つや消し面を有するガラスシートに同様に適用されている。
【発明の開示】
【０００４】
本発明は、入射光によって起因する反射を減少させることにより解像度を改善するための、平面パネル液晶ディスプレイの構造又は形態に向けられている。そうしたディスプレイは、通常は、ピクセルアレイからの選択されたピクセルを活性化させるために電極アレイが配置され又は形成された基板を含む。基板には、電極アレイによって受光される光を偏光させるために電極アレイを覆うように偏光子が配置され、偏光子を透明材料に結合するか又はラミネートすること等により、偏光子上に反射防止透明材料が配置され、固定される。透明材料は、複数の表面装飾を支持するか又はそうでなければ複数の表面装飾が形成されている観察面を有する。反射防止コーティング層が、観察面上の表面装飾を覆うように配置される。反射防止コーティングとして用いられる材料は、透明材料の屈折率より実質的に大きくない屈折率をもつように選択される。透明材料と反射防止コーティングは、表面装飾と組み合わされて、観察面上に入射する光に干渉し、ディスプレイ観察者に画像の明瞭で高コントラストの表示を与えながら、実際の知覚される反射性を極めて低いものにする。
【０００５】
一実施形態においては、表面装飾はバンプとして構成され、別の実施形態においては、表面装飾は頂点が切り取られた四面体として構成される。
本発明の他の目的及び特徴は、付属の図面と組み合わせて以下の詳細な説明を考察することから明らかとなるであろう。しかしながら、図面は、単に説明することを目的とするものであって、本発明を限定するものではなく、本発明を限定するためには特許請求の範囲の請求項を参照されたい。図面は必ずしも正しい尺度で描かれる必要はなく、特に指定のない限り、ここで説明される構造及び手順を、本発明の理解及び認識を容易にするのに十分なように図示することが単に意図されるものである。
図面においては、同じ符号は、それぞれの図面を通じて同じ要素を表わしている。
【発明を実施するための最良の形態】
【０００６】
図１に断面が示された平面パネル液晶ディスプレイ（ＬＣＤ）１０は、バックライト型ディスプレイのために透明にされるか、又は反射型ディスプレイのために反射性（すなわちミラー加工された）のガラス基板１２を含む。基板１２は、当業者には周知のピクセルアレイを形成する電極層１４を支持する。ピクセル層１４上に偏光シート１６が配置され、例えば高品質ガラスとすることができる特別に処理された透明材料シート２０が、結合層又はラミネート１８を用いて平面パネルディスプレイ偏光子１６に又はその上にラミネートされ又は結合される。現在行われているように、透明材料層２０は、１０００分の５０（０．０５０）インチの厚さをもつガラスシートとすることができ、偏光子１６に結合され又はラミネートされる。表示された画像の歪みを付加することなく、画像を明瞭にし、見やすさを増強させるために、偏光子１６とガラスカバーシート２０との間のスペース又はギャップを最小にするのが特に望ましい。好ましい実施形態においては、結合層１８は、少なくともカバーガラス２０に近い屈折率を有するクリアな又は透明なシリコン接着ゲルにより形成され、適用されたときの最初のゲル状粘稠状態から硬化する。シリコン接着剤のゲル状粘性は、硬化又はキュアリング前の、ガラスカバーシート２０が結合され又はラミネートされる平面パネルディスプレイのコンポーネント（例えばピクセル層１４）の一部への接着剤の望ましくない浸出を避け、ガラスカバーシートと偏光子１６の観察側との間のスペースを、好ましくは１／１６インチ又はそれ以下に制限できるようにする。或いは、シリコン接着剤の代わりに、シリコン接着剤よりも平面パネルディスプレイ偏光子１６へのガラスカバーシート２０のしっかりとした結合を与えることができるクリアな又は透明な液体エポキシを、結合層１８として用いることができるが、平面パネルディスプレイのシールされたケーシング又はコンポーネントの一部に液体エポキシが（適用の時点で）浸出するのを避けるために、さらなる注意を払わねばならない。こうした液体エポキシは、同様にガラスカバーシート２０に少なくとも近い屈折率をもつことが好ましい。
【０００７】
平面パネルディスプレイの偏光子１６に又はその上に配置し又は固定する前に、ガラスカバーシート２０をエッチングするか又はそうでなければ「つや消し」して、外側面又は観察面２２上に、滑らかに形状が付けられたバンプ又はマウンド２６のような多数の表面装飾又は特徴をもたせる。さらに、多層ＨＥＡコーティング３０は、装飾２６上を含むガラスシート２０のつや消し面又は観察面の全体に適用される。多層ＨＥＡ（ファブリ−ペロ・エタロン）コーティングは、該コーティング層の平面となす角度における厚さが所望の波長に適合するように、所与の入射角のために最適化される。ＨＥＡコーティングの各層は、特定の屈折率（「ＩＲ」）をもつように調整された四分の一波長フィルタを定める。ガラスカバーシート２０の表面上に直接付着された第１のＨＥＡコーティング層は、カバーガラス２０に少なくとも近い屈折率（ＩＲ1）を有し、それは本発明の当該実施形態に用いられるガラス材料においては約１．５１である。ガラス表面から最も離隔した最後の又は最終的な或いは最も外側の「露出された」ｎ番目のＨＥＡコーティング層、すなわち、典型的には周囲空気と接触する層（その他の表面又は流体が本発明の改善された平面パネルディスプレイの上に又は接触して置かれない場合）は、空気の屈折率、すなわち１．００に少なくとも近い屈折率（ＩＲn）を有する。ＨＥＡコーティング層の最初の層から最後の層までは、それぞれ最初の層の屈折率から最後の層の屈折率までの屈折率を有し、それは最初の層に近い屈折率から最後の層に近い屈折率まで漸進的に変化する。したがって、ＩＲn＜ＩＲn-1．．．＜ＩＲ2＜ＩＲ1となる。反射は、２つの固体又は液体又は流体物質間の境界層における屈折率の差によるものであることは良く知られており、この場合（多層ＨＥＡコーティングが存在しないとき）、境界層は、カバーガラス２０の屈折率と平面パネルディスプレイ偏光子１６の屈折率との差によって定められる。したがって、ここで用いられる多層ＨＥＡコーティングは、ガラス表面と空気との間に位置し、それにより、ガラスの屈折率から空気の屈折率まで漸進的に変化する一連の境界層は、本発明の改善された平面パネルディスプレイの外側面又は観察面上に入射する光の反射を低減させる。
市販の（例えば）ＬＣＤ等からなり、或る一定の形状が付けられ、つや消しされ、多層ＨＥＡ被覆されたガラスカバーシート２０がディスプレイ偏光子１６にラミネートされ又は付着された、結果として得られる改善された平面パネルディスプレイは、平面パネルＬＣＤ１０により生成された、明るく、クリアで、高コントラストの画像表示を観察者に与えながら、１０％又はそれ以下のオーダーの、実際に観察者が知覚する極めて低い反射率を有利に呈する。
【０００８】
図３に示すような好ましい実施形態においては、図２の実施形態で多数の滑らかに形状が付けられたバンプ又はマウンドとして構成されていた表面装飾２６は、代わりに、ガラス表面２０に多層ＨＥＡコーティング３０を適用し、次いでガラスカバーシートを平面パネルディスプレイ１０の偏光子１６に又はその上に結合し又はラミネートする前に、ガラス透明層２０の上面をミクロ又はナノ機械加工して、多数の同様の寸法の（すなわち極めて小さい）角ばった四面体３２を定めることにより形成される。四面体３２は、実質的に等しい底部を有することができ、例えば、こうした装飾の所定の規則性をもって及び／又はマトリックスとして、表面に沿ってかつ表面付近で一体的に定めることができる。最も好ましい実施においては、四面体の底部は、図４に示すように、それらが定められる透明層２０の表面に対して実質的に垂直に又は横断して延びる直立軸線の周りを（互いに対して）不規則に或いは様々に回転される。透明層２０上に定められる四面体の全てが実質的に同じ高さ及びアスペクト比を有してもよいことが本発明の意図される範囲及び考慮の中に包含されるが、さらにもっと好ましいのは、層２０にわたって分布された四面体が、様々に異なる高さ及びアスペクト比をもち、さらには、四面体の頂部が切り取られ、及び／又は丸くされ、もしくは滑らかにされて、ガラスカバーシートの表面が不本意に磨り減らないようにされることである。四面体はまた、シート又は層２０上の表面にわたる不規則な又は効果的に無作為化された位置に、別の形で定めることもできる。
四面体３２は、図２に示された実施形態の滑らかに形状が付けられたバンプ２６よりも、ガラス層２０の外側面又は観察面上に入射した光をより効果的に散乱させ、それにより、カバーガラス２０を通して見たディスプレイ生成画像の優れたコントラストを維持しながら、実際の観察者が知覚する入射光（すなわち反射できる光）の反射をより効果的に最小にする。ガラス表面２０、入射（反射可能な）光の光源、観察者又は観察者の相対的位置及び向きにおける一定の変化の結果として、四面体の極めて小さい平坦な又は平坦にされた面から観察者に到達しうるあらゆる直接反射が、ほとんど目を引かない又は知覚できないような短い持続時間でのものとなり、前景反射による邪魔なしに、平面パネルディスプレイによって与えられた背景画像を直ちに視認する観察者の力を妨げない。
【０００９】
ガラスカバーシート２０に極めて小さな直立四面体３２のような多数の表面装飾をもたせ、多層ＨＥＡコーティング３０で被覆することと、そうでなければ通常の又は市販の平面パネルディスプレイ又は画像プロジェクタであろうものの偏光子１６に又はその上に該カバーシートをラミネートし又は結合することとの組合せから得られた、独創的な改善された平面パネルディスプレイ１０は、ガラス表面上におかれる直立装飾に、例えば通常の表面つや消しの形式で滑らかな形状が付けられる、最初に上述された図２の実施形態よりも一層低い反射率を呈する。さらに、結果として得られる改善された平面パネルディスプレイは、増強され拡大された視野角を予期せず呈し、それにより観察者は、ディスプレイによって生成された画像をはっきりと見て知覚することができる。
上述のバンプ２６又は四面体３２の代わりに、又は四面体及び／又は他の幾何学的形態に加えて、他の直立した又は突起した幾何学的形態の表面特徴を、カバーガラスの観察面上に機械加工し、又はエッチングし、若しくは別の手法で形成する、すなわち、カバーガラス２０上の直立表面特徴が種々の幾何学的形態の組み合わせによって定められるようにすることができる。同様に、本発明は、ディスプレイの画像形成方法、又はその構成材料、もしくはディスプレイの市販又はカスタム設計がオリジナルのものであるか又は伝統的なものであるかに関係なしに、どんな平面パネルディスプレイにも適用可能である。また、本発明の改善されたディスプレイはさらに、空気以外の固体又は液体若しくは流体物質が多層ＨＥＡコーティングの外側層に接触する、或いは被覆されたカバーガラスの上に付加的なコーティング又は材料が置かれるハウジング又は環境内に入れる又は用いることができることも本発明の考慮内にあり、そうした場合、多層ＨＥＡコーティングの最外層又は最終層は、重ね合わされる固体、液体又は流体物質或いは付加的なコーティング又は物質の屈折率に少なくとも近い屈折率を有することが好ましい。
【００１０】
以上、本発明の基本的な新規な特徴を、本発明の好ましい実施形態に適用されるものとして図示し、説明し、指摘してきたが、当業者であれば、説明された方法及び図示されたデバイスの形態及び詳細における、並びにそれらの作動における、種々の省略、置換、及び変更をなし得ることが理解されるであろう。例えば、実質的に同じ機能を実質的に同じ方法で果たして同じ結果を達成するこれらの要素及び／又は方法工程の全ての組み合わせが、本発明の範囲内に包含されることが特に意図されている。さらに、本発明のどんな開示された形態又は実施形態にも関係する図示され及び／又は説明された構造体及び／又は要素及び／又は方法工程を、設計上の選択の一般的事項として、任意の他の開示され又は説明され或いは提案された形態又は実施形態に組み入れることもできることを認識されたい。したがって、添付の請求項の範囲によって示される範囲によってのみ限定されることが意図されている。
【図面の簡単な説明】
【００１１】
【図１】本発明の一実施形態に従って形成された液晶ディスプレイの断面図である。
【図２】図１のディスプレイの上側観察面の上面図である。
【図３】本発明の別の実施形態に係るディスプレイの上側観察面の上面図である。
【図４】本発明のさらに別の実施形態に係るディスプレイの上側観察面の上面図である。
【図１】
2006500601.tif 000002
【図２】
2006500601.tif 000003
【図３】
2006500601.tif 000004
【図４】
2006500601.tif 000005
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
入射光の反射の減少によって解像度の改善を与えるための平面パネルディスプレイであって、
基板と、
ピクセルアレイの選択されたピクセルを活性化させるために前記基板上に配置された電極アレイと、
前記電極アレイによって受光される光を偏光させるために前記電極アレイ上に配置された偏光子と、
前記偏光子上に配置された反射防止透明材料のシートと、
を備え、前記透明材料が、屈折率と、エッチングによりカーブをつけられた前記シートの観察面とを有して、前記エッチングされた観察面上に、前記観察面の周りに分布された複数の表面装飾を形成し、さらに、
前記観察面上に配置され、前記透明材料の屈折率より大きくない屈折率を有する反射防止コーティング層と、
を備え、前記透明材料と前記反射防止コーティングは、前記ディスプレイの観察者に、ディスプレイ生成画像のはっきりとした高コントラスト表示を与えながら、観察者が知覚する反射率及び実際の反射率を極めて低くするものであることを特徴とするディスプレイ。
【請求項２】
前記表面装飾が、前記観察面にマトリックス状に配置されたバンプを備えることを特徴とする請求項１に記載のディスプレイ。
【請求項３】
前記表面装飾が、前記観察面に無作為パターンで配置されたバンプを備えることを特徴とする請求項１に記載のディスプレイ。
【請求項４】
前記表面装飾が、前記観察面に対して実質的に等しい高さをもつバンプを備えることを特徴とする請求項１に記載のディスプレイ。
【請求項５】
前記表面装飾が、前記観察面に対して異なる範囲の高さをもつバンプを備えることを特徴とする請求項１に記載のディスプレイ。
【請求項６】
前記透明材料のシートが前記偏光子にラミネートされていることを特徴とする請求項１に記載のディスプレイ。
【請求項７】
前記透明材料のシートが、透明液体エポキシとシリコン接着剤の１つからなる結合剤により前記偏光子に結合され、前記結合剤が、前記透明材料のシートの屈折率に実質的に等しい屈折率を有することを特徴とする請求項１に記載のディスプレイ。
【請求項８】
前記反射防止コーティング層は複数層（ｎ層）のＨＥＡ反射防止コーティングを含み、該複数層の各々は、関連する屈折率を有し、前記ディスプレイが用いられる環境と調和するように、前記観察面上の第１層から前記観察面より最も離隔した最外層まで積み重ねられ、前記第１層が前記透明材料の屈折率に実質的に等しい屈折率を有し、前記最外層が前記環境の屈折率に実質的に等しい屈折率を有し、前記第１層と前記最外層との間のｎ−２個の層は、前記第１層の屈折率と前記最外層の屈折率との間で漸進的に変化する屈折率を有することを特徴とする請求項１に記載のディスプレイ。
【請求項９】
前記表面装飾が角ばった四面体を備えることを特徴とする請求項１に記載のディスプレイ。
【請求項１０】
前記四面体が、前記観察面上にマトリックス状に配置されたことを特徴とする請求項９に記載のディスプレイ。
【請求項１１】
前記四面体が前記観察面に無作為パターンで配置されたことを特徴とする請求項９に記載のディスプレイ。
【請求項１２】
前記四面体の各々が、前記観察面に対する高さと長さ方向の軸とを有することを特徴とする請求項９に記載のディスプレイ。
【請求項１３】
前記四面体が前記観察面に対して実質的に等しい高さを有することを特徴とする請求項１２に記載のディスプレイ。
【請求項１４】
前記四面体の各々が頂部を切り取られた形状を有することを特徴とする請求項９に記載のディスプレイ。
【請求項１５】
前記四面体の各々が共通の軸方向アラインメントを有することを特徴とする請求項１２に記載のディスプレイ。
【請求項１６】
前記四面体の各々が無作為な軸方向アラインメントを有することを特徴とする請求項１２に記載のディスプレイ。
【請求項１７】
ディスプレイ前面の前に位置するディスプレイ観察者が、該観察者と該ディスプレイとの間にあって関連する屈折率を有する周囲媒体を通して視認できる画像を生成するのに適する平面パネルディスプレイであって、
前記ディスプレイの前面に配置され、関連する屈折率を有する透明材料シートを含み、該透明材料シートの観察面の前に位置する観察者が、該透明材料シートを通して、前記ディスプレイによって適切に生成された画像を見ることができるようになっており、
複数の外向きに突起する表面特徴が、前記透明材料シートの観察面上に一体的に形成され、かつ、該観察面の周りに分布されて、観察者に向けて外向きに突起しており、
多層ＨＥＡコーティングが、前記複数の表面特徴を覆うように前記透明材料シートの観察面上に適用されて、前記材料シートの観察面上に反射防止コーティングを形成しており、該多層コーティングの各層は、前記観察面に接して配置された前記多層コーティング層の第１層の屈折率が前記材料シートの屈折率に実質的に等しく、前記第１層から最も離隔した前記多層コーティング層の最外層の屈折率が前記周囲媒体の屈折率に実質的に等しく、前記第１層と前記最外層との間の前記多層コーティング層の各層の屈折率が前記第１層と前記最外層との間の屈折率となるような屈折率をそれぞれ有し、それにより前記多層ＨＥＡコーティングは、実効屈折率が実質的に前記材料シートの屈折率から実質的に前記周囲媒体の屈折率まで漸進的に変化することとなり、前記ディスプレイと該ディスプレイに入射する光の観察者との間の反射を最小にする漸進的遷移層を形成することを特徴とする平面パネルディスプレイ。
【請求項１８】
前記表面特徴が、前記観察面をエッチングして不規則な観察面を形成することにより定められ、前記材料シートの前記観察面の周りに分布された複数のマウンドを備えることを特徴とする請求項１７に記載の平面パネルディスプレイ。
【請求項１９】
前記表面特徴が、前記観察面をエッチングして所定のつや消し観察面を形成することにより定められ、前記材料シートの前記観察面の周りに分布された複数のマウンドを備えることを特徴とする請求項１７に記載の平面パネルディスプレイ。
【請求項２０】
前記表面特徴が、前記材料シートの前記観察面の周りに分布された複数の四面体形状の突起部を備え、該突起部の各々が底部と上部とを有することを特徴とする請求項１７に記載の平面パネルディスプレイ。
【請求項２１】
前記四面体形状の突起部の各々の頂部が切り取られていることを特徴とする請求項２０に記載の平面パネルディスプレイ。
【請求項２２】
前記切り取られた頂部が丸められていることを特徴とする請求項２１に記載の平面パネルディスプレイ。
【請求項２３】
前記観察面上に設けられた前記複数の四面体形状の突起部の底部が、前記観察面の周りに様々に配向されたことを特徴とする請求項２０に記載の平面パネルディスプレイ。
【請求項２４】
前記観察面上に設けられた前記複数の四面体形状の突起部が、観察者に向けて様々に異なる程度だけ外向きに突起していることを特徴とする請求項２０に記載の平面パネルディスプレイ。
【請求項２５】
前記観察面上に設けられた前記複数の四面体形状の突起部が、様々に異なるアスペクト比の底部を有することを特徴とする請求項２０に記載の平面パネルディスプレイ。
【請求項２６】
前記複数の四面体形状の突起部が、前記観察面の上及び周りに不規則な位置で設けられていることを特徴とする請求項２０に記載の平面パネルディスプレイ。
【請求項２７】
前記複数の四面体形状の突起部が、前記観察面の上及び周りに所定のグリッドに沿った位置で設けられていることを特徴とする請求項２０に記載の平面パネルディスプレイ。
【請求項２８】
平面パネルディスプレイによって生成された画像を、該平面パネルディスプレイの前面に配置された透明材料シートであってこれを通して該ディスプレイ生成画像を観察することのできる透明材料シートの前に位置する観察者が観察する際の、観察者の視認性を改善する方法であって、前記観察者は該観察者と前記ディスプレイとの間に存在する関連する環境屈折率を有する周囲環境を通して前記ディスプレイ生成画像を観察し、前記方法は次の工程：
前記観察面の前に位置する観察者が、前記ディスプレイによって適切に生成された画像を、これを通して観察することのできる前記ディスプレイの透明材料シートの前側観察面を処理して、外向きに突起する複数の表面特徴を前記観察面上に一体的に、前記透明材料シートの観察面の周りに分布するように形成し、該表面特徴が前記観察者に向けて外向きに突起するようにし、前記材料シートが関連する材料の屈折率を有し、前記表面特徴が前記ディスプレイに入射する光の観察者に向かう前記観察面からの直接反射を低減させるよう構成する工程、及び、
多層ＨＥＡコーティングを、前記複数の表面特徴がその上に形成される前記観察面上に適用して、前記複数の表面特徴を覆い、前記材料シートの観察面上に反射防止コーティングを形成し、前記多層コーティングの各層は、前記観察面に接して配置された前記多数のコーティング層の第１層の屈折率が前記材料シートの屈折率に実質的に等しく、前記第１層から最も離隔した前記多数のコーティング層の最外層の屈折率が前記周囲媒体の屈折率に実質的に等しく、前記最初の層と前記最外層との間の前記多数のコーティング層の各層の屈折率が前記第１層と前記最外層との間の屈折率となるような屈折率をそれぞれ有し、それにより前記多層ＨＥＡコーティングは、実効屈折率が実質的に前記材料シートの屈折率から実質的に前記周囲媒体の屈折率まで漸進的に変化することとなり、前記ディスプレイと該ディスプレイに入射する光の観察者との間の反射を最小にする漸進的遷移層を形成する工程、
を含むことを特徴とする、前記方法。
【請求項２９】
前記処理する工程は、前記表面特徴が前記材料の観察面の周りに分布された複数のマウンドを備えるように前記材料シートの前記観察面をエッチングして、観察者がディスプレイ生成画像を通して観察することができる不規則な観察面を形成する工程を含む、請求項２８に記載の方法。
【請求項３０】
前記処理する工程は、前記材料シートの観察面を機械加工して、該観察面の周りに分布される複数の四面体形状の表面特徴を該観察面に一体的に形成する工程であって、該表面特徴の各々が、観察者に向けて外向きに突起する底部と上部とを有する、前記工程を含む、請求項２８に記載の方法。
【請求項３１】
前記処理する工程がさらに、前記四面体形状の表面特徴を機械加工して頂部が切り取られた形状を得る工程を含む、請求項３０に記載の方法。
【請求項３２】
前記処理する工程がさらに、前記複数の四面体形状の表面特徴を、互いに実質的に軸方向にアラインメントされた状態で形成する工程を含む、請求項３０に記載の方法。
【請求項３３】
前記処理する工程がさらに、前記複数の四面体形状の表面特徴を、互いに無作為の軸方向にアラインメントされた状態で形成する工程を含む、請求項３０に記載の方法。
【請求項３４】
入射光の反射の減少によって解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置された反射防止透明材料のシートと、
を備え、前記透明材料が、屈折率と、機械加工によりカーブを付けられた前記シートの観察面とを有して、前記機械加工された観察面上に、前記観察面の周りに分布された複数の表面装飾を形成し、さらに、
前記観察面上に配置され、前記透明材料の屈折率より大きくない屈折率を有する反射防止コーティング層と、
を備え、前記透明材料と前記反射防止コーティングは、前記ディスプレイの観察者に、ディスプレイ生成画像のはっきりとした高コントラスト表示を与えながら、観察者が知覚する反射率及び実際の反射率を極めて低くするものであることを特徴とするディスプレイ。
【請求項３５】
前記表面装飾が、前記観察面上にマトリックス状に配置されたバンプを備えることを特徴とする請求項３４に記載のディスプレイ。
【請求項３６】
前記表面装飾が、前記観察面上に無作為パターンで配置されたバンプを備えることを特徴とする請求項３４に記載のディスプレイ。
【請求項３７】
前記表面装飾が、前記観察面に対して実質的に等しい高さを持つバンプを備えることを特徴とする請求項３４に記載のディスプレイ。
【請求項３８】
前記表面装飾が、前記観察面に対して異なる範囲の高さを持つバンプを備えることを特徴とする請求項３４に記載のディスプレイ。
【請求項３９】
前記透明材料のシートが、前記偏光子にラミネートされていることを特徴とする請求項３４に記載のディスプレイ。
【請求項４０】
前記透明材料のシートが、透明液体エポキシとシリコン接着剤の１つからなる結合剤により前記偏光子に結合され、前記結合剤が、前記透明材料シートの屈折率に実質的に等しい屈折率を有することを特徴とする請求項３４に記載のディスプレイ。
【請求項４１】
前記反射防止コーティング層は複数層(n層)のHEA反射防止コーティングを含み、該複数層の各々は、関連する屈折率を有し、前記ディスプレイが用いられる環境と調和するように、前記観察面上の第１層から前記観察面より最も離隔した最外層まで積み重ねられ、前記第１層が前記透明材料の屈折率に実質的に等しい屈折率を有し、前記最外層が前記環境の屈折率に実質的に等しい屈折率を有し、前記第１層と前記最外層との間のn-2個の層は、前記第1層の屈折率と前記最外層の屈折率との間で漸進的に変化する屈折率を有することを特徴とする請求項３４に記載のディスプレイ。
【請求項４２】
前記表面装飾が角ばった四面体を備えることを特徴とする請求項３４に記載のディスプレイ。
【請求項４３】
前記四面体が、前記観察面上にマトリックス状に配置されたことを特徴とする請求項４２に記載のディスプレイ。
【請求項４４】
前記四面体が、前記観察面上に無作為パターンで配置されたことを特徴とする請求項４２に記載のディスプレイ。
【請求項４５】
前記四面体の各々が、前記観察面に対する高さと長さ方向の軸とを有することを特徴とする請求項４２に記載のディスプレイ。
【請求項４６】
前記四面体が、前記観察面に対して実質的に等しい高さを有することを特徴とする請求項４５に記載のディスプレイ。
【請求項４７】
前記四面体の各々が、頂部を切り取られた形状を有することを特徴とする請求項４２に記載のディスプレイ。
【請求項４８】
前記四面体の各々が、共通の軸方向アラインメントを有することを特徴とする請求項４５に記載のディスプレイ。
【請求項４９】
前記四面体の各々が、無作為な軸方向アラインメントを有することを特徴とする請求項４５に記載のディスプレイ。
【請求項５０】
入射光の反射の減少によって解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置され、屈折率と観察面とを有し、前記観察面の周りに複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者にディスプレイ生成画像のはっきりとした高コントラスト表示を与えながら、観察者が知覚する反射率及び実際の反射率を極めて低くするものであり、
前記表面装飾が、前記観察面上にマトリックス状に配置されたバンプを備えることを特徴とするディスプレイ。
【請求項５１】
入射光の反射の減少によって解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置され、屈折率と観察面とを有し、前記観察面の周りに複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者にディスプレイ生成画像のはっきりとした高コントラスト表示を与えながら、観察者が知覚する反射率及び実際の反射率を極めて低くするものであり、
前記表面装飾が、前記観察面に対して異なる範囲の高さを持つバンプを備えることを特徴とするディスプレイ。
【請求項５２】
入射光の反射の減少によって、解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置され、屈折率と観察面とを有し、前記観察面の周りに複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者に、ディスプレイ生成画像のはっきりとした高コントラスト表示を与えながら、観察者が知覚する反射率及び実際の反射率を極めて低くするものであり、
前記透明材料層が、透明液体エポキシとシリコン接着剤の１つからなる結合剤により、前記偏光子に結合され、前記結合剤が、前記透明材料層の屈折率に実質的に等しい屈折率を有することを特徴とするディスプレイ。
【請求項５３】
入射光の反射の減少によって解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置され、屈折率と観察面とを有し、前記観察面の周りに、複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者にディスプレイ生成画像のはっきりとした高コントラスト表示を与えながら、観察者が知覚する反射率及び実際の反射率を極めて低くするものであり、
前記反射防止コーティング層は、複数層(n層)のHEA反射防止コーティングを含み、該複数層の各々は、関連する屈折率を有し、前記ディスプレイが用いられる環境と調和するように、前記観察面上の第１層から前記観察面より最も離隔した最外層まで積み重ねられ、前記第１層が前記透明材料の屈折率に実質的に等しい屈折率を有し、前記最外層が前記環境の屈折率に実質的に等しい屈折率を有し、前記第１層と前記最外層との間のn-2個の層は、前記第１層の屈折率と前記最外層の屈折率との間で漸進的に変化する屈折率を有することを特徴とするディスプレイ。
【請求項５４】
入射光の減少によって解像度の改善を与えるための平面パネルディスプレイであって、
基板と、
ピクセルアレイの選択されたピクセルを活性化させるために、前記基板上に配置された電極アレイと、
前記電極アレイによって受光される光を偏光させるために、前記電極アレイ上に配置された偏光子と、
前記偏光子上に配置され、屈折率と観察面とを有し、前記観察面の周りに複数の表面装飾が分布された反射防止透明材料層と、
前記観察面上に配置され、前記透明材料の屈折率より大きくない屈折率を有する反射防止コーティング層と、
を備え、前記透明材料と前記反射防止コーティングは、前記ディスプレイの観察者にディスプレイ生成画像のはっきりとした高コントラスト表示を与えながら、観察者が知覚する反射率及び実際の反射率を極めて低くするものであり、
前記表面装飾が角張った四面体を備えることを特徴とするディスプレイ。
【請求項５５】
前記四面体が、前記観察面上にマトリックス状に配置されたことを特徴とする請求項５４に記載のディスプレイ。
【請求項５６】
前記四面体が、前記観察面上に無作為パターンで配置されたことを特徴とする請求項５４に記載のディスプレイ。
【請求項５７】
前記四面体の各々が、前記観察面に対する高さと長さ方向の軸とを有することを特徴とする請求項５４に記載のディスプレイ。
【請求項５８】
前記四面体が、前記観察面に対して実質的に等しい高さを有することを特徴とする請求項５７に記載のディスプレイ。
【請求項５９】
前記四面体の各々が、頂部を切り取られた形状を有することを特徴とする請求項５４に記載のディスプレイ。
【請求項６０】
前記四面体の各々が、共通の軸方向アラインメントを有することを特徴とする請求項５７に記載のディスプレイ。
【請求項６１】
前記四面体の各々が、無作為な軸方向アラインメントを有することを特徴とする請求項５７に記載のディスプレイ。
【請求項６２】
ディスプレイの前面の前に位置するディスプレイ観察者が、該観察者と該ディスプレイとの間にあって関連する屈折率を有する周囲媒体を通して視認できる画像を生成するのに適する平面パネルディスプレイであって、
前記ディスプレイの前面に配置され、関連する屈折率を有する透明材料シートを含み、該透明材料シートの観察面の前に位置する観察者が、該透明材料シートを通して、前記ディスプレイによって適切に生成された画像を見ることができるようになっており、
多層HEAコーティングが、前記透明材料シートの観察面上に適用されて、前記材料シートの観察面上に反射防止コーティングを形成しており、該多層コーティング層の各層は、前記観察面に接して配置された前記多数のコーティング層の第１層の屈折率が前記材料シートの屈折率に実質的に等しく、前記第１層から最も離隔した前記多数のコーティング層の最外層の屈折率が前記周囲媒体の屈折率に実質的に等しく、前記第１層と前記最外層との間の前記多数のコーティング層の各層の屈折率が前記第１層と前記最外層との間の屈折率となるような屈折率をそれぞれ有し、それにより、前記多層HEAコーティングは、実効屈折率が実質的に前記材料シートの屈折率から実質的に前記周囲媒体の屈折率まで漸進的に変化することとなり、前記ディスプレイと該ディスプレイに入射する光の観察者との間の反射を最小にする漸進的遷移層を形成することを特徴とする平面パネルディスプレイ。
【請求項６３】
平面パネルディスプレイによって生成された画像を、該平面パネルディスプレイの前面に配置された透明材料シートであって、これを通して該ディスプレイ生成画像を観察することのできる透明材料シートの前面の観察面の前に位置する観察者が観察する際の、観察者の視認性を改善する方法であって、前記観察者は、該観察者と前記ディスプレイとの間に存在する関連する環境屈折率を有する周囲環境を通して、前記ディスプレイ生成画像を観察し、
多層HEAコーティングを前記観察面に適用して、前記観察面を覆い、前記材料シートの観察面上に反射防止コーティングを形成し、前記多層HEAコーティングの各層は、前記観察面に接して配置された前記多数のコーティング層の第１層の屈折率が前記材料シートの屈折率に実質的に等しく、前記第１層から最も離隔した前記多数のコーティング層の最外層の屈折率が前記周囲媒体の屈折率に実質的に等しく、前記多数のコーティング層の各層の屈折率が前記第１層と前記最外層との間の屈折率となるような屈折率をそれぞれ有し、それにより、前記多層HEAコーティングは、実効屈折率が前記材料シートの屈折率から前記周囲媒体の屈折率まで漸進的に変化することとなり、前記ディスプレイと該ディスプレイに入射する光の観察者との間の反射を最小にする漸進的遷移層を形成するステップ、
を含むことを特徴とする方法。
【国際調査報告】
2006500601.tif 000006